(57)【要約】      （修正有）【課題】たるみを防止しつつネットを容易に張ることができるネット張り具を提供する。【解決手段】杭Ｐに取り付けられる取付具１と、取付具１に取り付けられる支持棒３とを備える。取付具１は、杭Ｐが通される杭挿通部５と、棒状の接続部７とを有し、接続部７の先端部には、矩形板状の係止片１５が回転可能に保持されている。支持棒３の両端部２１，２１には、３つの貫通穴２３が軸方向に等間隔に離隔して形成されている。支持棒３には、２つのフック２５が設けられており、各フック２５は上方への引っ掛け部２５ａと下方への引っ掛け部２５ｂの両方を有する。支持棒３は、その貫通穴２３に接続部７が通されて取付具１に取り付けられ、支持棒３のフック２５にネットの上下端辺を引っ掛けて張っていく。【選択図】図２
0003171484.tif 000002
【実用新案登録請求の範囲】
【請求項１】
杭に着脱可能に取り付けられる取付具と、
離隔して配置された杭の取付具同士を架け渡すように設けられる支持棒と
を備え、
前記支持棒にはネットへの引っ掛け部が設けられている
ことを特徴とするネット張り具。
【請求項２】
前記取付具は、杭にはめ込まれて締め付け固定される杭挿通部と、この杭挿通部から径方向外側へ突出して設けられる棒状の接続部とを備え、
前記支持棒は、両端部に複数の貫通穴が形成されており、そのいずれかの貫通穴を前記接続部に通されて抜け止めされ、
前記支持棒には、上方への引っ掛け部と下方への引っ掛け部とが設けられている
ことを特徴とする請求項１に記載のネット張り具。
【請求項３】
前記支持棒には、上下両方への引っ掛け部を有するフックが複数設けられている
ことを特徴とする請求項１または請求項２に記載のネット張り具。
【考案の詳細な説明】
【技術分野】
【０００１】
本考案は、ネットを張る際に使用されるネット張り具に関するものである。
【背景技術】
【０００２】
建築現場などでは、第三者や猫などの動物が侵入しないように、敷地や建築物をネットで囲うことがある。
【考案の概要】
【考案が解決しようとする課題】
【０００３】
しかしながら、従来は、ネットの角部を紐で杭やパイプなどに取り付けていただけであったため、ネットがたるんでしまい見栄えが良くなかった。また、たるみを防止するために、ネットの上下端辺を紐で取り付けることも行われているが、この場合は取り付けに時間がかかっていた。
【０００４】
本考案は上記事情に鑑みてなされたものであり、その主たる目的は、たるみを防止しつつネットを容易に張ることができるネット張り具を提供することにある。
【課題を解決するための手段】
【０００５】
本考案は、前記課題を解決するためになされたものであり、請求項１に記載の考案は、杭に着脱可能に取り付けられる取付具と、離隔して配置された杭の取付具同士を架け渡すように設けられる支持棒とを備え、前記支持棒にはネットへの引っ掛け部が設けられていることを特徴とするネット張り具である。
【０００６】
請求項２に記載の考案は、前記取付具は、杭にはめ込まれて締め付け固定される杭挿通部と、この杭挿通部から径方向外側へ突出して設けられる棒状の接続部とを備え、前記支持棒は、両端部に複数の貫通穴が形成されており、そのいずれかの貫通穴を前記接続部に通されて抜け止めされ、前記支持棒には、上方への引っ掛け部と下方への引っ掛け部とが設けられていることを特徴とする請求項１に記載のネット張り具である。
【０００７】
さらに、請求項３に記載の考案は、前記支持棒には、上下両方への引っ掛け部を有するフックが複数設けられていることを特徴とする請求項１または請求項２に記載のネット張り具である。
【考案の効果】
【０００８】
本考案のネット張り具によれば、たるみを防止しつつネットを容易に張ることができる。
【図面の簡単な説明】
【０００９】
【図１】本考案のネット張り具の一実施例を示す図であり、杭に取り付けられた状態を示す正面図である。
【図２】図１の一部拡大斜視図である。
【図３】図１のネット張り具の取付具が、杭に取り付けられた状態を示す正面図である。
【図４】図３の一部拡大斜視図である。
【図５】図１のネット張り具の支持棒を取付具に取り付けようとしている状態を示す斜視図である。
【図６】図１のネット張り具の支持棒を示す正面図である。
【図７】図１のネット張り具の取付具の横断面図である。
【図８】図１の状態からネットが張られた状態を示す図である。
【図９】支持棒を連接した状態を示す斜視図である。
【図１０】支持棒を連接してネットを張った状態を示す図である。
【考案を実施するための形態】
【００１０】
以下、本考案のネット張り具の実施例について図面に基づいて具体的に説明する。
【００１１】
図１および図２は、本考案のネット張り具の一実施例を示す図であり、図１は杭に取り付けられた状態を示す正面図であり、図２は図１の一部拡大斜視図である。
また、図３は、取付具が杭に取り付けられた状態を示す正面図であり、図４は、図３の一部拡大斜視図である。図５は、支持棒を取付具へ取り付けようとしている状態を示す斜視図である。図６は、支持棒を示す正面図であり、図７は、取付具の横断面図である。
さらに、図８は、図１の状態からネットが張られた状態を示す図である。
【００１２】
本実施例のネット張り具は、杭Ｐに取り付けられる取付具１と、この取付具１に取り付けられる支持棒３とを主要部に備える。
【００１３】
取付具１は、杭Ｐが通される杭挿通部５と、この杭挿通部５に設けられる接続部７とを有する。杭挿通部５は、平面視略Ｃ字形の筒状体とされる。具体的には、杭挿通部５は、上下方向に開口する円筒体の周壁の一部が、軸方向に切り欠かれた平面視略Ｃ字形とされ、その開口端部同士が、近接および離隔可能に撓み変形可能とされる。
【００１４】
また、杭挿通部５は、その開口両端部から外方へ延出して矩形板状の締付片９，１１がそれぞれ形成されている。この一対の締付片９，１１のうち、一方の締付片９には厚さ方向に貫通して丸穴９ａが形成されている。また、他方の締付片１１には、一方の締付片９の丸穴９ａと同軸線上にネジ穴１１ａが形成されている。
【００１５】
本実施例では、一方の締付片９の丸穴９ａからボルト１３が通されて、他方の締付片１１のネジ穴１１ａにねじ込まれることで締付片９，１１同士が近接し、ひいては杭挿通部５が若干縮径する。
【００１６】
杭挿通部５の側壁から径方向外側へ突出して棒状の接続部７が設けられる。
本実施例では、接続部７は、丸棒状とされ、杭挿通部５の開口部５ａから周方向に９０度ずれた位置に設けられている。接続部７には、その先端部中央部分に、先端側へ開口する溝７ａが上下方向に沿って形成されている。そして、この縦溝７ａに矩形板状の係止片１５が回転可能に保持されている。
【００１７】
具体的には、係止片１５は、その中途部に長穴１５ａが形成されており、この長穴１５ａに軸１７が左右方向に沿って設けられ、接続部７の溝７ａに回転可能に保持される。
図２や図４に示すように、係止片１５がその長手方向を上下方向に沿って配置された状態では、係止片１５の長穴１５ａの上端部に軸１７が配置されている。
また、図２や図４に示す状態において、係止片１５の下端部１５ｂには、後方へ行くに従って上方へ傾斜する傾斜部が形成されている。
そして、図４に示す状態から、係止片１５を一旦引き上げて回転させることで、図５に示すように、係止片１５をその長手方向を接続部７の軸方向に沿うように配置できる。なお、図５の状態において、係止片１５の傾斜部１５ｂが接続部７の溝７ａの端縁に当接することで、図５の状態からの反時計方向の回転が規制される。
この接続部７および係止片１５により、いわゆるグラビティロックが構成されている。
【００１８】
支持棒３は、円筒状とされ、その両端部２１，２１は、押しつぶされて扁平に形成されている。また、支持棒３の両端部２１，２１には、複数個の貫通穴２３が形成されており、図示例では、３つの貫通穴２３が軸方向に等間隔に離隔して形成されている。
【００１９】
さらに、支持棒３には、複数個のフック２５が設けられており、図示例では、２つのフック２５が軸方向に離隔して設けられている。フック２５は、前方への開口部を有する略Ｃ字形状とされる。具体的には、フック２５は、前方へ行くに従って上下方向外側へ延出した後、さらに前方へ行くに従って上下方向内側へ延出した形状とされており、ネットの下端部が引っ掛けられる上方への引っ掛け部２５ａと、ネットの上端部が引っ掛けられる下方への引っ掛け部２５ｂの両方を有する。
【００２０】
このような構成の本実施例のネット張り具を使用してネットＮを設置する場合、杭Ｐを地面に複数本打ち込んでおき、各杭Ｐに、取付具１を取り付ける。具体的には、杭挿通部５を杭Ｐにはめ込み、ボルト１３をねじ込んで取付具１を杭Ｐに固定する。また、本実施例では、１本の杭Ｐに２つの取付具１を上下に離隔して設ける。この際、取付具１，１同士の間隔は、ネットＮの高さに合わせておく。
【００２１】
次に、隣接する杭Ｐ，Ｐに設けられた取付具１，１同士を架け渡すように、支持棒３を取付具１に取り付ける。具体的には、図５に示すように、係止片１５を接続部７の軸方向に沿うように配置した状態で、支持棒３の貫通穴２３に、取付具１の接続部７を差し込めばよい。そして、係止片１５をその長手方向が上下方向に沿うように配置することで、支持棒３の抜けが防止される。このようにして、上下に離隔して配置された２本の支持棒３，３のフック２５に、ネットＮの上下各端辺部を引っ掛けて張っていけばよい。具体的には、ネットＮの上端辺を上側の支持棒３のフック２５の下方への引っ掛け部２５ｂへ引っ掛ける一方、ネットＮの下端辺を下側の支持棒３のフック２５の上方への引っ掛け部２５ａへ引っ掛ければよい。このように、本実施例では、ネットＮの上下端辺をフック２５の引っ掛け部２５ａ，２５ｂに引っ掛けることで、たるみを防止することができる。なお、ネットＮの四隅に紐が設けられている場合には、杭Ｐや支持棒３にくくりつけておけばよい。
【００２２】
図９は、支持棒を連接する状態を示す斜視図であり、図１０は、支持棒を連接してネットを張った状態を示す図である。
支持棒３を軸方向に沿って連接する場合、図９に示すように、一の取付具１の接続部７に、隣接する支持棒３，３の貫通穴２３を通して取り付けて、杭Ｐを順次架け渡すように支持棒３を取り付けていく。そして、各支持棒３のフック２５にネットＮを引っ掛けていけばよい。
【００２３】
本実施例では、支持棒３の各端部に、取付具１への取付け用の貫通穴２３が複数形成されていることで、取付具１に対する支持棒３の取付位置を調整することが可能とされる。
また、取付具１は、杭Ｐに着脱可能に設けられることで、ネットの大きさに合わせて設置できる。さらに、支持棒３のフック２５は、上下対称な形状により、取付具１に取り付ける際、上下を気にすることなく使用することができる。
また、本実施例では、取付具１の接続部７と締付片９，１１が周方向に９０度ずれた位置に形成されていることから、ネットで囲おうとする敷地や建物側へ接続部７を向けて配置することで、歩行者の通路となる側（接続部７の逆側）に突出する部分を配置せずにすみ、歩行者などが引っ掛からず安全である。
【００２４】
本考案のネット張り具は、上記実施例の構成に限らず、適宜変更可能である。
上記実施例では、支持棒にフックを２つ設けたが、１つまたは３つ以上としてもよい。
また、フックの形状も適宜変更可能である。さらに、支持棒の各端部に３つの貫通穴２３を設けたが、１つまたは２つでもよく、４つ以上としてもよい。さらに、本考案のネット張り具は、シートを張る際にも使用可能である。
【符号の説明】
【００２５】
１  取付具
３  支持棒
５  杭挿通部
７  接続部
１５  係止片
２５  フック
２５ａ  引っ掛け部
２５ｂ  引っ掛け部
【図１】
0003171484.tif 000003
【図２】
0003171484.tif 000004
【図３】
0003171484.tif 000005
【図４】
0003171484.tif 000006
【図５】
0003171484.tif 000007
【図６】
0003171484.tif 000008
【図７】
0003171484.tif 000009
【図８】
0003171484.tif 000010
【図９】
0003171484.tif 000011
【図１０】
0003171484.tif 000012